(57)【要約】【課題】異なる階調の画素の境界がにじむのを防止し、鮮明な表示を得ることができる電気泳動表示装置の駆動方法を提供する。【解決手段】本発明の電気泳動表示装置の駆動方法は、複数の前記画素電極に画像データに応じた第１の電位又は第２の電位を入力するとともに、前記共通電極に前記第１及び第２の電位を周期的に繰り返す信号を入力し、前記電気泳動素子を駆動して前記画像データに基づく画像を表示させる第１の画像表示ステップＳＴ２１と、複数の前記画素電極を前記電位に保持する一方、前記共通電極に前記第１の電位と前記第２の電位との間の電位を入力する第２の画像表示ステップＳＴ２２と、を有することを特徴とする。【選択図】図５
2010085620.tif 000002
【特許請求の範囲】
【請求項１】
一対の基板間に電気泳動粒子を含む電気泳動素子を挟持し、一方の前記基板の前記電気泳動素子側に複数の画素電極が形成されるとともに、他方の前記基板の前記電気泳動素子側には複数の前記画素電極と対向する共通電極が形成された電気泳動表示装置の駆動方法であって、
複数の前記画素電極に画像データに応じた第１の電位又は第２の電位を入力するとともに、前記共通電極に前記第１及び第２の電位を周期的に繰り返す信号を入力し、前記電気泳動素子を駆動して前記画像データに基づく画像を表示させる第１の画像表示ステップと、
複数の前記画素電極を前記電位に保持する一方、前記共通電極に前記第１の電位と前記第２の電位との間の電位を入力する第２の画像表示ステップと、
を有することを特徴とする電気泳動表示装置の駆動方法。
【請求項２】
前記第２の画像表示ステップにおいて、
前記第１の電位と前記第２の電位との電位差をΔＶとして、前記共通電極に、前記第１の電位と前記第２の電位との中間の電位を中心として±０．３ΔＶ以下の範囲内にある電位を入力することを特徴とする請求項１に記載の電気泳動表示装置の駆動方法。
【請求項３】
前記第２の画像表示ステップにおいて、
前記共通電極に、前記第１の電位と前記第２の電位との中間の電位を入力することを特徴とする請求項２に記載の電気泳動表示装置の駆動方法。
【請求項４】
前記第２の画像表示ステップにおいて、前記共通電極に入力する電位によって表示画像の輪郭幅を調整することを特徴とする請求項１又は２に記載の電気泳動表示装置の駆動方法。
【請求項５】
前記第２の画像表示ステップの後に、
前記画素電極及び前記共通電極をハイインピーダンス状態に保持する画像保持ステップと、
前記画素電極及び前記共通電極に前記第２の画像表示ステップと同一の電位を入力するリフレッシュステップと、
を有することを特徴とする請求項１から４のいずれか１項に記載の電気泳動表示装置の駆動方法。
【請求項６】
一対の基板間に電気泳動粒子を含む電気泳動素子を挟持し、一方の前記基板の前記電気泳動素子側に複数の画素電極が形成されるとともに、他方の前記基板の前記電気泳動素子側には複数の前記画素電極と対向する共通電極が形成された電気泳動表示装置であって、
前記共通電極に接続され、前記共通電極に対して、第１の電位と、前記第１の電位と異なる第２の電位と、前記第１の電位と前記第２の電位との間の電位を供給可能である共通電極駆動回路を有することを特徴とする電気泳動表示装置。
【請求項７】
一対の基板間に電気泳動粒子を含む電気泳動素子を挟持し、一方の前記基板の前記電気泳動素子側に複数の画素電極が形成されるとともに、他方の前記基板の前記電気泳動素子側には複数の前記画素電極と対向する共通電極が形成された電気泳動表示装置であって、
画像表示動作に際して、複数の前記画素電極に画像データに応じた第１の電位又は第２の電位を入力するとともに、前記共通電極に前記第１及び第２の電位を周期的に繰り返す信号を入力し、前記電気泳動素子を駆動して前記画像データに基づく画像を表示させる第１の画像表示ステップと、複数の前記画素電極を前記電位に保持する一方、前記共通電極に前記第１の電位と前記第２の電位との間の電位を入力する第２の画像表示ステップと、を実行する制御部を備えていることを特徴とする電気泳動表示装置。
【請求項８】
複数の画素からなる表示部を有し、
前記画素ごとに、前記画素電極と、画素スイッチング素子と、前記画素電極と前記画素スイッチング素子との間に接続されたメモリ回路と、が設けられていることを特徴とする請求項６又は７に記載の電気泳動表示装置。
【請求項９】
前記画素ごとに設けられ、前記画素電極と前記メモリ回路との間に接続されたスイッチ回路と、
前記スイッチ回路に接続され、前記画素電極に電位を供給する第１及び第２の制御線と、
を有することを特徴とする請求項８に記載の電気泳動表示装置。
【請求項１０】
前記画素スイッチング素子がトランジスタであり、
前記第２の画像表示ステップにおいて前記共通電極に入力される前記電位が、前記トランジスタのゲート電極に入力される電位と同電位であることを特徴とする請求項８又は９に記載の電気泳動表示装置。
【請求項１１】
請求項６から１０のいずれか１項に記載の電気泳動表示装置を備えたことを特徴とする電子機器。
【発明の詳細な説明】
【技術分野】
【０００１】
本発明は、電気泳動表示装置の駆動方法、電気泳動表示装置、及び電子機器に関するものである。
【背景技術】
【０００２】
電気泳動表示装置として、一対の基板間に複数のマイクロカプセルを挟持した方式のものが知られている（例えば特許文献１参照）。この種の電気泳動表示装置は、複数の画素ごとに設けられた画素電極と、複数の画素電極に対向して設けられた共通電極と、複数の画素電極と共通電極とに挟持された電気泳動粒子を含む電気泳動素子とを備えており、画素電極と共通電極との電位差により生じた電界によって、電気泳動粒子を泳動させて表示駆動を行っている。
例えば、特許文献１には、高低関係にある２つの電位を用いて、各画素電極の電位を切替えるとともに、共通電極の電位も上記２つの電位を切り替えることにより表示書き換えを行う「コモン振り駆動」に関する記載がある。
【特許文献１】特開２００３−８４３１４号公報
【発明の開示】
【発明が解決しようとする課題】
【０００３】
図１２は、コモン振り駆動による画像表示ステップの説明図である。図１２には、画像表示ステップを構成するステップＳＴ０〜ＳＴ５におけるコモン振り駆動における各電極の電位の経時変化と、各ステップにおけるマイクロカプセル内の粒子の挙動とが示されている。
ステップＳＴ０において、隣接して配置された画素電極ＰＸ１、ＰＸ２、及び共通電極ＣＯＭは、いずれもハイインピーダンス状態（電気的に切断された状態）である。ステップＳＴ１においてコモン振り駆動が開始されると、画素電極ＰＸ１にハイレベル電位、画素電極ＰＸ２にローレベル電位が入力され、共通電極ＣＯＭには、ステップＳＴ１〜ＳＴ４ごとにハイレベル電位とローレベル電位とを交互に繰り返す矩形波状のパルスが入力される。
【０００４】
ステップＳＴ１では、共通電極ＣＯＭにハイレベル電位が入力される。これにより、ローレベル電位である画素電極ＰＸ２と共通電極ＣＯＭとの間に電界が形成され、画素電極ＰＸ２上に位置するマイクロカプセル内の電気泳動粒子が駆動される。白色粒子が負に帯電し、黒色粒子が正に帯電している場合、上記電界により白色粒子は共通電極ＣＯＭ側へ引き寄せられ、黒色粒子は画素電極ＰＸ２側へ引き寄せられる（黒表示）。ステップＳＴ１において、画素電極ＰＸ１と共通電極ＣＯＭとは同電位であるため、電気泳動粒子は駆動されず、画素電極ＰＸ１に対応する画素の表示は変化しない。
【０００５】
次に、ステップＳＴ２では、共通電極ＣＯＭにローレベル電位が入力される。これにより、ハイレベル電位である画素電極ＰＸ１と共通電極ＣＯＭとの間に電界が形成され、画素電極ＰＸ１上に位置するマイクロカプセル内の電気泳動粒子が駆動される。すなわち、黒色粒子が共通電極ＣＯＭ側へ引き寄せられ、白色粒子が画素電極ＰＸ１側へ引き寄せられる（白表示）。ステップＳＴ２において、画素電極ＰＸ２と共通電極ＣＯＭとは同電位であるため、電気泳動粒子は駆動されず、画素電極ＰＸ２に対応する画素の表示は変化しない。
【０００６】
以後同様に、ステップＳＴ３において、画素電極ＰＸ２に対応する画素（白表示画素）のみが駆動され、ステップＳＴ４において、画素電極ＰＸ１に対応する画素（黒表示画素）のみが駆動される。このようにして、画素電極ＰＸ１、ＰＸ２のそれぞれに対応する画素において、所望の黒表示及び白表示が成される。
【０００７】
上記のコモン振り駆動を採用した駆動方法によれば、各画素において白色粒子と黒色粒子とを確実に所望の電極側に寄せることができ、高コントラストの表示を得ることができる。しかし、コモン振り駆動では、白表示画素と黒表示画素を互いに独立して交互に駆動することから、白表示画素と黒表示画素との境界がにじむという問題があった。
【０００８】
より詳しくは、図１２に示すように、ステップＳＴ１〜ＳＴ４では、画素電極ＰＸ１、ＰＸ２のいずれかと、共通電極ＣＯＭとの間にのみ電界が形成されるため、形成される電界が共通電極ＣＯＭ側において面方向に広がった形状となる。そして、上記電界の影響により、動作対象の画素と隣接する非動作の画素にまで影響が及んでしまう。例えば、ステップＳＴ３では、画素電極ＰＸ２上の領域のみが白表示されるべきところ、画素電極ＰＸ１上の一部領域にまで白表示が広がってしまう。また、ステップＳＴ４では、画素電極ＰＸ２上の一部領域にまで黒表示が広がってしまう。
【０００９】
コモン振り駆動では、図示のように、画像表示ステップの最後に必ず白表示動作又は黒表示動作が実行されるため、白表示画素で駆動して画像表示ステップを終了した場合には、白表示画素と隣接する黒表示画素の一部に白表示部分が発生し、黒表示画素を駆動して画像表示ステップを終了した場合には、黒表示画素と隣接する白表示画素の一部に黒表示部分が発生する。
【００１０】
本発明は、上記従来技術の問題点に鑑み成されたものであって、異なる階調の画素の境界がにじむのを防止し、鮮明な表示を得ることができる電気泳動表示装置の駆動方法及び電気泳動表示装置を提供することを目的の一つとする。
【課題を解決するための手段】
【００１１】
本発明の電気泳動表示装置の駆動方法は、上記課題を解決するために、一対の基板間に電気泳動粒子を含む電気泳動素子を挟持し、一方の前記基板の前記電気泳動素子側に複数の画素電極が形成されるとともに、他方の前記基板の前記電気泳動素子側には複数の前記画素電極と対向する共通電極が形成された電気泳動表示装置の駆動方法であって、複数の前記画素電極に画像データに応じた第１の電位又は第２の電位を入力するとともに、前記共通電極に前記第１及び第２の電位を周期的に繰り返す信号を入力し、前記電気泳動素子を駆動して前記画像データに基づく画像を表示させる第１の画像表示ステップと、複数の前記画素電極を前記電位に保持する一方、前記共通電極に前記第１の電位と前記第２の電位との間の電位を入力する第２の画像表示ステップと、を有することを特徴とする。
【００１２】
この駆動方法によれば、第２の画像表示ステップを備えたことで、コモン振り駆動により画像を表示する第１の画像表示ステップにおいて不可避的に生じる表示のにじみを、異なる階調の画素を同時に駆動する第２の画像表示ステップにおいて除去することができる。したがって、異なる階調の画素の境界がにじむのを防止し、鮮明な表示を得ることができる。
【００１３】
前記第２の画像表示ステップにおいて、前記第１の電位と前記第２の電位との電位差をΔＶとして、前記共通電極に、前記第１の電位と前記第２の電位との中間の電位を中心として±０．３ΔＶ以下の範囲内にある電位を入力することが好ましい。
この駆動方法によれば、第２の画像表示ステップにおいて、第１の電位に保持された画素電極上に形成される電界の強度と、第２の電位に保持された画素電極上に形成される電界の強度とを概ね等しくすることができるので、異なる階調の画素の境界における表示のにじみを効果的に除去することができる。
【００１４】
前記第２の画像表示ステップにおいて、前記共通電極に、前記第１の電位と前記第２の電位との中間の電位を入力することが好ましい。
このような駆動方法とすれば、第２の画像表示ステップにおいて、第１の電位に保持された画素電極上に形成される電界の強度と、第２の電位に保持された画素電極上に形成される電界の強度とをほぼ等しくすることができるので、異なる階調の画素の境界における表示のにじみをより確実に除去することができる。
【００１５】
前記第２の画像表示ステップにおいて、前記共通電極に入力する電位によって表示画像の輪郭幅を調整することもできる。
本発明の駆動方法では、第２の画像表示ステップにおいて共通電極に入力する電位を変化させると、第２の画像表示ステップの実行後の表示のにじみの程度が変化する。そこで、この作用を利用し、共通電極に入力する電位により表示画像の輪郭幅を調整することも可能である。
【００１６】
前記第２の画像表示ステップの後に、前記画素電極及び前記共通電極をハイインピーダンス状態に保持する画像保持ステップと、前記画素電極及び前記共通電極に前記第２の画像表示ステップと同一の電位を入力するリフレッシュステップと、を有する駆動方法とすることもできる。
このような駆動方法とすれば、電気泳動素子の記憶性を利用して表示画像を保持する場合に、リフレッシュステップによって表示画像のコントラストを維持しつつ表示を保持することができる。また、リフレッシュステップにおいて共通電極に前記第２の画像表示ステップと同一の電位を入力するので、コモン振り駆動によりリフレッシュ動作を行う場合のように表示のにじみを生じさせることがない。
【００１７】
次に，本発明の電気泳動表示装置は、一対の基板間に電気泳動粒子を含む電気泳動素子を挟持し、一方の前記基板の前記電気泳動素子側に複数の画素電極が形成されるとともに、他方の前記基板の前記電気泳動素子側には複数の前記画素電極と対向する共通電極が形成された電気泳動表示装置であって、前記共通電極に接続され、前記共通電極に対して、第１の電位と、前記第１の電位と異なる第２の電位と、前記第１の電位と前記第２の電位との間の電位を供給可能である共通電極駆動回路を有することを特徴とする。
【００１８】
この構成によれば、先に記載の本発明の駆動方法を実行可能な電気泳動表示装置を実現できる。
【００１９】
一対の基板間に電気泳動粒子を含む電気泳動素子を挟持し、一方の前記基板の前記電気泳動素子側に複数の画素電極が形成されるとともに、他方の前記基板の前記電気泳動素子側には複数の前記画素電極と対向する共通電極が形成された電気泳動表示装置であって、画像表示動作に際して、複数の前記画素電極に画像データに応じた第１の電位又は第２の電位を入力するとともに、前記共通電極に前記第１及び第２の電位を周期的に繰り返す信号を入力し、前記電気泳動素子を駆動して前記画像データに基づく画像を表示させる第１の画像表示ステップと、複数の前記画素電極を前記電位に保持する一方、前記共通電極に前記第１の電位と前記第２の電位との間の電位を入力する第２の画像表示ステップと、を実行する制御部を備えていることを特徴とする。
【００２０】
この構成によれば、制御部により実行される第１及び第２の画像表示ステップにより、白黒の境界領域における表示のにじみの発生を防止し、鮮明な表示を得られる電気泳動表示装置となる。
【００２１】
複数の画素からなる表示部を有し、前記画素ごとに、前記画素電極と、画素スイッチング素子と、前記画素電極と前記画素スイッチング素子との間に接続されたメモリ回路と、が設けられている構成とすることが好ましい。
この構成によれば、メモリ回路に画像信号を保持するため定期的なリフレッシュ動作が不要であり、省電力性に優れた電気泳動表示装置を実現することができる。
【００２２】
前記画素ごとに設けられ、前記画素電極と前記メモリ回路との間に接続されたスイッチ回路と、前記スイッチ回路に接続され、前記画素電極に電位を供給する第１及び第２の制御線と、を有する構成とすることが好ましい。
この構成によれば、第１及び第２の制御線の電位を制御することで、直接的に画素電極の電位を制御することができるので、表示画像の消去や反転を容易かつ少ない電力消費で実行できる電気泳動表示装置を実現できる。
【００２３】
前記画素スイッチング素子がトランジスタであり、前記第２の画像表示ステップにおいて前記共通電極に入力される前記電位が、前記トランジスタのゲート電極に入力される電位と同電位であることが好ましい。
この構成によれば、第２の画像表示ステップにおいて共通電極３７に入力する電位を、画素スイッチング素子の選択信号の電位を生成する回路により生成できるため、生成電位の数を増やす必要が無い。したがって、電源回路の規模が大きくなるのを回避でき、製造性やコストの面で有利な構成となる。
【００２４】
本発明の電子機器は、先に記載の電気泳動表示装置を備えたことを特徴とする。
この構成によれば、異なる階調の画素の境界領域が鮮明に表示され、表示品位に優れた表示手段を具備した電子機器を提供することができる。
【発明を実施するための最良の形態】
【００２５】
以下、図面を用いて本発明における電気泳動表示装置について説明する。なお本実施形態では、アクティブマトリクス方式により駆動される電気泳動表示装置について説明する。
なお、本実施形態は、本発明の一態様を示すものであり、この発明を限定するものではなく、本発明の技術的思想の範囲内で任意に変更可能である。また、以下の図面においては、図面を見やすくするために実際の構成とは適宜異ならせて表示している。
【００２６】
（第１の実施形態）
図１（ａ）は、本実施形態に係る電気泳動表示装置１００の概略構成図である。
電気泳動表示装置１００は、複数の画素４０がマトリクス状に配列された表示部５を備えている。表示部５の周辺には、走査線駆動回路６１、データ線駆動回路６２、コントローラ（制御部）６３、及び共通電源変調回路６４が配置されている。走査線駆動回路６１、データ線駆動回路６２、及び共通電源変調回路６４は、それぞれコントローラ６３と接続されている。コントローラ６３は、上位装置から供給される画像データや同期信号に基づき、これらを総合的に制御する。
【００２７】
表示部５には走査線駆動回路６１から延びる複数の走査線６６と、データ線駆動回路６２から延びる複数のデータ線６８とが形成されており、これらの交差位置に対応して画素４０が設けられている。
【００２８】
走査線駆動回路６１は、ｍ本の走査線６６（Ｙ１、Ｙ２、…、Ｙｍ）を介して各々の画素４０に接続されており、コントローラ６３の制御のもと、１行目からｍ行目までの走査線６６を順次選択し、画素４０に設けられた選択トランジスタ４１（図２参照）のオンタイミングを規定する選択信号を、選択した走査線６６を介して供給する。
【００２９】
データ線駆動回路６２は、ｎ本のデータ線６８（Ｘ１、Ｘ２、…、Ｘｎ）を介して各々の画素４０に接続されており、コントローラ６３の制御のもと、画素４０の各々に対応する１ビットの画素データを規定する画像信号を画素４０に供給する。
なお、本実施形態では、画素データ「０」を規定する場合にはローレベル（Ｌ）の画像信号を画素４０に供給し、画素データ「１」を規定する場合はハイレベル（Ｈ）の画像信号を画素４０に供給するものとする。
【００３０】
表示部５にはまた、共通電源変調回路６４から延びる低電位電源線４９、高電位電源線５０、及び共通電極配線５５が設けられており、それぞれの配線は画素４０と接続されている。共通電源変調回路６４は、コントローラ６３の制御のもと、上記の配線の各々に供給すべき各種信号を生成する一方、これら各配線の電気的な接続及び切断（ハイインピーダンス（Ｈｉ−Ｚ）化）を行う。
【００３１】
さらに、本実施形態の場合、後述する駆動方法を実行可能とするために、共通電源変調回路６４について、図１（ｂ）に示す構成が採用されている。図１（ｂ）は、コントローラ６３と共通電源変調回路６４の要部を示す図である。
図１（ｂ）に示すように、共通電源変調回路６４には、共通電極配線５５に供給する電位を選択する電位選択回路６７が設けられている。電位選択回路６７は、コントローラ６３に設けられた電源回路６５と接続されている。電位選択回路６７は、コントローラ６３から入力される制御信号により、電源回路６５から供給される４種類の電位（０Ｖ、７．５Ｖ、１５Ｖ、Ｈｉ−Ｚ）をスイッチングし、共通電極配線５５を選択した電位状態とする。
【００３２】
図２は、画素４０の回路構成図である。
画素４０には、選択トランジスタ（Thin Film Transistor）４１（画素スイッチング素子）と、ラッチ回路（メモリ回路）７０と、スイッチ回路８０と、電気泳動素子３２と、画素電極３５と、共通電極３７とが設けられている。画素４０には、走査線６６と、データ線６８と、低電位電源線４９と、高電位電源線５０と、第１の制御線９１と、第２の制御線９２と、が接続されている。画素４０は、ラッチ回路７０により画像信号を電位として保持するＳＲＡＭ（Static Random Access Memory）方式の構成である。
【００３３】
選択トランジスタ４１は、Ｎ−ＭＯＳ（Negative Metal Oxide Semiconductor）トランジスタからなる画素スイッチング素子である。選択トランジスタ４１のゲート端子は走査線６６に接続され、ソース端子はデータ線６８に接続され、ドレイン端子はラッチ回路７０のデータ入力端子Ｎ１に接続されている。
【００３４】
ラッチ回路７０は、転送インバータ７０ｔと帰還インバータ７０ｆとを備えている。転送インバータ７０ｔ及び帰還インバータ７０ｆはいずれもＣ−ＭＯＳインバータである。
転送インバータ７０ｔと帰還インバータ７０ｆとは、互いの入力端子に他方の出力端子が接続されたループ構造を成しており、それぞれのインバータには、高電位電源端子ＰＨを介して接続された高電位電源線５０と、低電位電源端子ＰＬを介して接続された低電位電源線４９とから電源電圧が供給される。
【００３５】
転送インバータ７０ｔは、それぞれのドレイン端子をデータ出力端子Ｎ２に接続されたＰ−ＭＯＳ（Positive Metal Oxide Semiconductor）トランジスタ７１とＮ−ＭＯＳトランジスタ７２とを有している。Ｐ−ＭＯＳトランジスタ７１のソース端子は高電位電源端子ＰＨに接続され、Ｎ−ＭＯＳトランジスタ７２のソース端子は低電位電源端子ＰＬに接続されている。Ｐ−ＭＯＳトランジスタ７１及びＮ−ＭＯＳトランジスタ７２のゲート端子（転送インバータ７０ｔの入力端子）は、データ入力端子Ｎ１（帰還インバータ７０ｆの出力端子）と接続されている。
【００３６】
帰還インバータ７０ｆは、それぞれのドレイン端子をデータ入力端子Ｎ１に接続されたＰ−ＭＯＳトランジスタ７３とＮ−ＭＯＳトランジスタ７４とを有している。Ｐ−ＭＯＳトランジスタ７３及びＮ−ＭＯＳトランジスタ７４のゲート端子（帰還インバータ７０ｆの入力端子）は、データ出力端子Ｎ２（転送インバータ７０ｔの出力端子）と接続されている。
【００３７】
スイッチ回路８０は、第１のトランスミッションゲートＴＧ１と、第２のトランスミッションゲートＴＧ２とを備えて構成されている。
第１のトランスミッションゲートＴＧ１は、Ｐ−ＭＯＳトランジスタ８１とＮ−ＭＯＳトランジスタ８２とからなる。Ｐ−ＭＯＳトランジスタ８１及びＮ−ＭＯＳトランジスタ８２のソース端子は第１の制御線９１に接続され、Ｐ−ＭＯＳトランジスタ８１及びＮ−ＭＯＳトランジスタ８２のドレイン端子は画素電極３５に接続されている。また、Ｐ−ＭＯＳトランジスタ８１のゲート端子は、ラッチ回路７０のデータ入力端子Ｎ１に接続され、Ｎ−ＭＯＳトランジスタ８２のゲート端子は、ラッチ回路７０のデータ出力端子Ｎ２に接続されている。
【００３８】
第２のトランスミッションゲートＴＧ２は、Ｐ−ＭＯＳトランジスタ８３とＮ−ＭＯＳトランジスタ８４とからなる。Ｐ−ＭＯＳトランジスタ８３及びＮ−ＭＯＳトランジスタ８４のソース端子は第２の制御線９２に接続され、Ｐ−ＭＯＳトランジスタ８３及びＮ−ＭＯＳトランジスタ８４のドレイン端子は、画素電極３５に接続されている。また、Ｐ−ＭＯＳトランジスタ８３のゲート端子は、ラッチ回路７０のデータ出力端子Ｎ２に接続され、Ｎ−ＭＯＳトランジスタ８４のゲート端子は、ラッチ回路７０のデータ入力端子Ｎ１に接続されている。また、画素電極３５と共通電極３７との間に電気泳動素子３２が挟持されている。
【００３９】
以上の構成を備えた画素４０において、ラッチ回路７０にローレベル（Ｌ）の画像信号（画素データ「０」）が記憶され、データ出力端子Ｎ２からハイレベル（Ｈ）の信号が出力された場合、第１のトランスミッションゲートＴＧ１がオン状態となり、第１の制御線９１を介して供給される電位Ｓ１が画素電極３５に入力される。
一方、ラッチ回路７０にハイレベル（Ｈ）の画像信号（画素データ「１」）が記憶され、データ出力端子Ｎ２からローレベル（Ｌ）の信号が出力された場合、第２のトランスミッションゲートＴＧ２がオン状態となり、第２の制御線９２を介して供給される電位Ｓ２が画素電極３５に入力される。
【００４０】
電気泳動表示装置１００は、画素電極３５に入力された電位Ｓ１、Ｓ２と、共通電極配線５５（図１）を介して共通電極３７に入力された電位Ｖcomとの電位差に基づいて電気泳動素子３２を駆動し、表示部５に画像を表示する。
【００４１】
次に、図３（ａ）は、表示部５における電気泳動表示装置１００の部分断面図である。電気泳動表示装置１００は、素子基板（第１基板）３０と対向基板（第２基板）３１との間に、複数のマイクロカプセル２０を配列してなる電気泳動素子３２を挟持した構成を備えている。
【００４２】
表示部５において、素子基板３０の電気泳動素子３２側には、図１や図２に示した走査線６６、データ線６８、選択トランジスタ４１、ラッチ回路７０などが形成された回路層３４が設けられており、回路層３４上に複数の画素電極３５が配列形成されている。
素子基板３０は、ガラスやプラスチック等からなる基板であり、画像表示面とは反対側に配置されるため透明なものでなくてもよい。画素電極３５は、Ｃｕ（銅）箔上にニッケルメッキと金メッキとをこの順番で積層したものや、Ａｌ（アルミニウム）、ＩＴＯ（インジウム・スズ酸化物）などにより形成された電気泳動素子３２に電圧を印加する電極である。
【００４３】
一方、対向基板３１の電気泳動素子３２側には複数の画素電極３５と対向する平面形状の共通電極３７が形成されており、共通電極３７上に電気泳動素子３２が設けられている。
対向基板３１はガラスやプラスチック等からなる基板であり、画像表示側に配置されるため透明基板とされる。共通電極３７は、画素電極３５とともに電気泳動素子３２に電圧を印加する電極であり、ＭｇＡｇ（マグネシウム銀）、ＩＴＯ（インジウム・スズ酸化物）、ＩＺＯ（インジウム・亜鉛酸化物）などから形成された透明電極である。
そして、電気泳動素子３２と画素電極３５とが、接着剤層３３を介して接着されることで、素子基板３０と対向基板３１とが接合されている。
【００４４】
なお、電気泳動素子３２は、あらかじめ対向基板３１側に形成され、接着剤層３３までを含めた電気泳動シートとして取り扱われるのが一般的である。製造工程において、電気泳動シートは接着剤層３３の表面に保護用の離型シートが貼り付けられた状態で取り扱われる。そして、別途製造された素子基板３０（画素電極３５や各種回路などが形成されている）に対して、離型シートを剥がした当該電気泳動シートを貼り付けることによって、表示部５を形成する。このため、接着剤層３３は画素電極３５側のみに存在することになる。
【００４５】
図３（ｂ）は、マイクロカプセル２０の模式断面図である。マイクロカプセル２０は、例えば５０μｍ程度の粒径を有しており、内部に分散媒２１と、複数の白色粒子（電気泳動粒子）２７と、複数の黒色粒子（電気泳動粒子）２６とを封入した球状体である。マイクロカプセル２０は、図３（ａ）に示すように共通電極３７と画素電極３５とに挟持され、１つの画素４０内に１つ又は複数のマイクロカプセル２０が配置される。
【００４６】
マイクロカプセル２０の外殻部（壁膜）は、ポリメタクリル酸メチル、ポリメタクリル酸エチルなどのアクリル樹脂、ユリア樹脂、アラビアゴムなどの透光性を持つ高分子樹脂などを用いて形成される。
分散媒２１は、白色粒子２７と黒色粒子２６とをマイクロカプセル２０内に分散させる液体である。分散媒２１としては、水、アルコール系溶媒（メタノール、エタノール、イソプロパノール、ブタノール、オクタノール、メチルセルソルブなど）、エステル類（酢酸エチル、酢酸ブチルなど）、ケトン類（アセトン、メチルエチルケトン、メチルイソブチルケトンなど）、脂肪族炭化水素（ぺンタン、ヘキサン、オクタンなど）、脂環式炭化水素（シクロへキサン、メチルシクロへキサンなど）、芳香族炭化水素（ベンゼン、トルエン、長鎖アルキル基を有するベンゼン類（キシレン、ヘキシルベンゼン、ヘブチルベンゼン、オクチルベンゼン、ノニルベンゼン、デシルベンゼン、ウンデシルベンゼン、ドデシルベンゼン、トリデシルベンゼン、テトラデシルベンゼンなど））、ハロゲン化炭化水素（塩化メチレン、クロロホルム、四塩化炭素、１，２−ジクロロエタンなど）、カルボン酸塩などを例示することができ、その他の油類であってもよい。これらの物質は単独又は混合物として用いることができ、さらに界面活性剤などを配合してもよい。
【００４７】
白色粒子２７は、例えば、二酸化チタン、亜鉛華、三酸化アンチモン等の白色顔料からなる粒子（高分子あるいはコロイド）であり、例えば負に帯電されて用いられる。黒色粒子２６は、例えば、アニリンブラック、カーボンブラック等の黒色顔料からなる粒子（高分子あるいはコロイド）であり、例えば正に帯電されて用いられる。
これらの顔料には、必要に応じ、電解質、界面活性剤、金属石鹸、樹脂、ゴム、油、ワニス、コンパウンドなどの粒子からなる荷電制御剤、チタン系カップリング剤、アルミニウム系カップリング剤、シラン系カップリング剤等の分散剤、潤滑剤、安定化剤などを添加することができる。
また、黒色粒子２６及び白色粒子２７に代えて、例えば赤色、緑色、青色などの顔料を用いてもよい。かかる構成によれば、表示部５に赤色、緑色、青色などを表示することができる。
【００４８】
図４は、電気泳動素子の動作説明図である。図４（ａ）は、画素４０を白表示する場合、図４（ｂ）は、画素４０を黒表示する場合をそれぞれ示している。
図４（ａ）に示す白表示の場合には、共通電極３７が相対的に高電位、画素電極３５が相対的に低電位に保持される。これにより、負に帯電した白色粒子２７が共通電極３７に引き寄せられる一方、正に帯電した黒色粒子２６が画素電極３５に引き寄せられる。その結果、表示面側となる共通電極３７側からこの画素を見ると、白色（Ｗ）が認識される。
図４（ｂ）に示す黒表示の場合、共通電極３７が相対的に低電位、画素電極３５が相対的に高電位に保持される。これにより、正に帯電した黒色粒子２６が共通電極３７に引き寄せられる一方、負に帯電した白色粒子２７が画素電極３５に引き寄せられる。その結果、共通電極３７側からこの画素を見ると黒色（Ｂ）が認識される。
【００４９】
［駆動方法］
次に、図５から図８を参照して本実施形態の電気泳動表示装置の駆動方法について説明する。
図５は、電気泳動表示装置１００の駆動方法を示すフローチャートである。図６は、図５のフローチャートに対応するタイミングチャートである。図７は、本実施形態の駆動方法の説明対象である隣接する２画素の電位状態を示す図である。図８は、本実施形態の駆動方法における作用説明図である。
【００５０】
図５及び図６には、図７に示す画素４０Ａを黒表示、画素４０Ｂを白表示する場合のフローが示されている。
図６には、走査線６６の電位Ｇ、高電位電源線５０の電位Ｖｄｄ、低電位電源線４９の電位Ｖｓｓ、データ線６８ａの電位Ｄａ、データ線６８ｂの電位Ｄｂ、画素電極３５ａの電位Ｖａ、画素電極３５ｂの電位Ｖｂ、共通電極３７の電位Ｖcom、第１の制御線９１の電位Ｓ１、第２の制御線９２の電位Ｓ２、が示されている。
なお、図７において、各符号の「Ａ」「Ｂ」「ａ」「ｂ」の添字は、説明の対象とした２つの画素４０（４０Ａ、４０Ｂ）と、それらに属する構成要素を明確に区別するために付したものであって他意はない。
【００５１】
図５に示すように、本実施形態に係る駆動方法は、電源オンステップＳＴ１０と、画像信号入力ステップＳＴ１１と、画像表示ステップＳＴ１２と、電源オフステップＳＴ１３と、画像保持ステップＳＴ１４と、リフレッシュステップＳＴ１５と、を含む。
【００５２】
まず、電源オンステップＳＴ１０以前の表示部５では、各回路は電源オフ状態である。したがって、図６に示すように、画素電極３５ａ（電位Ｖａ）、画素電極３５ｂ（電位Ｖｂ）、共通電極３７（電位Ｖcom）、第１の制御線９１（電位Ｓ１）、第２の制御線９２（電位Ｓ２）等はいずれもハイインピーダンス状態である。
【００５３】
電源オンステップＳＴ１０では、走査線駆動回路６１やデータ線駆動回路６２、共通電源変調回路６４に電力が供給され、各回路に接続された配線が電位供給可能な状態となる。また、画素４０のラッチ回路７０にも高電位電源線５０及び低電位電源線４９を介して電力が供給され、画像信号を記憶可能な状態となる。
【００５４】
なお、本実施形態では、データ線６８におけるローレベル（Ｌ）の電位と、低電位電源線４９のローレベル電位ＶＬとがいずれも０（ゼロ）Ｖであるとして説明する。また、図６の各部に示した０Ｖ、５Ｖ、７Ｖ、１５Ｖ等の電位は、発明の説明のために一例として付したものであり、各配線の電位はこれらの具体的数値に限定されるものではない。
【００５５】
次に、画像信号入力ステップＳＴ１１において、各々の画素４０のラッチ回路７０に画像信号が入力される。すなわち、走査線６６に選択信号であるハイレベル（Ｈ；例えば７Ｖ）のパルスが入力され、かかる走査線６６に接続された選択トランジスタ４１がオン状態とされてデータ線６８とラッチ回路７０とが接続される。これにより、ラッチ回路７０に画像信号が入力される。
【００５６】
図７に示す画素４０Ａでは、選択トランジスタ４１ａを介してデータ線６８ａからラッチ回路７０ａにローレベル（Ｌ）の画像信号が入力される。
本実施形態の場合、画像信号入力ステップＳＴ１１では、高電位電源線５０を介して供給される電位Ｖｄｄ（画像信号入力用のハイレベル電位）が、後段の画像表示ステップＳＴ１２における電位Ｖｄｄ（画像表示用のハイレベル電位；例えば１５Ｖ）よりも低い５Ｖ程度とされている。したがって、画像信号を書き込まれた画素４０Ａのラッチ回路７０ａのデータ出力端子Ｎ２ａの電位は画像信号入力用のハイレベル電位（例えば５Ｖ）となる。なお、データ入力端子Ｎ１ａの電位はローレベル（例えば０Ｖ）である。
【００５７】
一方、画素４０Ｂでは、選択トランジスタ４１ｂを介してデータ線６８ｂからラッチ回路７０ｂにハイレベル（Ｈ）の画像信号が入力され、ラッチ回路７０ｂのデータ入力端子Ｎ１ｂの電位が画像信号入力用のハイレベル電位（例えば５Ｖ）となり、データ出力端子Ｎ２ｂの電位はローレベル（Ｌ；例えば０Ｖ）となる。
【００５８】
なお、画像信号入力ステップＳＴ１１では、ラッチ回路７０ａ、７０ｂから出力される電位によってスイッチ回路８０ａ、８０ｂが動作し、第１及び第２の制御線９１、９２と、画素電極３５ａ及び画素電極３５ｂとが接続される。しかし、第１及び第２の制御線９１、９２はいずれもハイインピーダンス状態であるため、画素電極３５ａ、３５ｂはハイインピーダンス状態のままであり、さらに共通電極３７もハイインピーダンス状態である。したがって、画像信号入力ステップＳＴ１１の時点では電気泳動素子３２の表示状態は変化しない。
【００５９】
画素４０Ａ、４０Ｂにそれぞれ画像信号が入力されたならば、画像表示ステップＳＴ１２に移行する。本実施形態の画像表示ステップＳＴ１２は、図５及び図６に示すように、第１の画像表示ステップＳＴ２１と、第２の画像表示ステップＳＴ２２とを含む。
【００６０】
第１の画像表示ステップＳＴ２１では、高電位電源線５０の電位Ｖｄｄが、画像信号入力用のハイレベル電位（例えば５Ｖ）から画像表示用のハイレベル電位ＶＨ（例えば１５Ｖ）に引き上げられる。低電位電源線４９の電位Ｖｓｓはローレベル電位ＶＬ（例えば０Ｖ）とされる。また、第１の制御線９１に画像表示用のハイレベル電位ＶＨが供給され、第２の制御線９２にローレベル電位ＶＬが供給される。さらに、共通電極３７に、ハイレベル電位ＶＨとローレベル電位ＶＬとを所定周期で繰り返す矩形状のパルスが入力される。
【００６１】
これにより、画素４０Ａでは、ラッチ回路７０ａのデータ出力端子Ｎ２ａの電位がハイレベル電位ＶＨとなり、データ入力端子Ｎ１ａの電位がローレベル電位ＶＬとなる。そうすると、スイッチ回路８０ａの第１のトランスミッションゲートＴＧ１ａがオン状態となり、画素電極３５ａと第１の制御線９１とが接続される。その結果、画素電極３５ａがハイレベル電位ＶＨとなる。
そして、矩形波状のパルスが入力された共通電極３７がローレベル電位ＶＬである期間に、画素電極３５ａと共通電極３７との電位差により電気泳動素子３２が駆動される。すなわち、図８（ｂ）に示すように、正に帯電した黒色粒子２６が共通電極３７側に引き寄せられ、負に帯電した白色粒子２７が画素電極３５ａ側に引き寄せられて、画素４０Ａが黒表示される。
【００６２】
一方、画素４０Ｂでは、ラッチ回路７０ｂのデータ出力端子Ｎ２ｂがローレベル電位ＶＬ、データ入力端子Ｎ１ａがハイレベル電位ＶＨであるから、スイッチ回路８０ｂの第２のトランスミッションゲートＴＧ２ｂがオン状態となり、画素電極３５ｂと第２の制御線９２とが接続される。その結果、画素電極３５ｂはローレベル電位ＶＬとなる。
そして、共通電極３７がハイレベル電位ＶＨである期間に、画素電極３５ｂと共通電極３７との間の電位差によって電気泳動素子３２が駆動される。すなわち、図８（ｃ）に示すように、負に帯電した白色粒子２７が共通電極３７側に引き寄せられ、正に帯電した黒色粒子２６が画素電極３５ａ側に引き寄せられて、画素４０Ｂが白表示される。
【００６３】
第１の画像表示ステップＳＴ２１では、共通電極３７に、ハイレベル電位ＶＨとローレベル電位ＶＬとを所定周期で繰り返す矩形状のパルスが入力される。すなわち、第１の画像表示ステップＳＴ２１では、コモン振り駆動により画像表示動作が実行される。したがって、上記の画素４０Ａにおける黒表示動作と画素４０Ｂにおける白表示動作とは、共通電極３７の電位に応じて互いに独立に実行される。
【００６４】
コモン振り駆動を採用した駆動方法によれば、黒色粒子と白色粒子をより確実に所望の電極に移動させることができるためコントラストを高めることができる。また画素電極と共通電極とに印加する電位をハイレベル電位ＶＨとローレベル電位ＶＬの二値により制御可能であるため、低電圧化が図れるとともに、回路構成をシンプルにすることができる。また、画素電極３５のスイッチング素子としてＴＦＴを用いた場合には、低電圧駆動によりＴＦＴの信頼性を確保することができるというメリットがある。
なお、コモン振り駆動の周波数及び周期数は、電気泳動素子３２の仕様及び特性に応じて適宜定めることが好ましい。
【００６５】
以上の第１の画像表示ステップＳＴ２１が終了したならば、第２の画像表示ステップＳＴ２２に移行する。
第２の画像表示ステップＳＴ２２では、図６に示すように、共通電極３７が一定電位に保持される。本実施形態の場合、共通電極３７に、ハイレベル電位ＶＨ（例えば１５Ｖ）とローレベル電位ＶＬ（例えば０Ｖ）との中間の電位である中間電位ＶＭ（例えば７．５Ｖ）が入力される。一方、画素電極３５ａ、３５ｂの電位状態は第１の画像表示ステップＳＴ２１と同様であり、画素電極３５ａはハイレベル電位ＶＨ、画素電極３５ｂはローレベル電位ＶＬである。
【００６６】
そうすると、図８（ｄ）に示すように、画素４０Ａでは、画素電極３５ａ（ハイレベル電位ＶＨ；例えば１５Ｖ）から共通電極３７（中間電位ＶＭ；例えば７．５Ｖ）に向かう電界が形成されるので、画素４０Ａの電気泳動素子３２は黒表示動作する。一方、画素４０Ｂでは、共通電極３７（中間電位ＶＭ；例えば７．５Ｖ）から画素電極３５ｂ（ローレベル電位ＶＬ；例えば０Ｖ）に向かう電界が形成されるので、画素４０Ｂの電気泳動素子３２は白表示動作する。
したがって、第２の画像表示ステップＳＴ２２では、黒表示される画素４０Ａと白表示される画素４０Ｂとが同時に駆動される。
【００６７】
第１の画像表示ステップＳＴ２１では、コモン振り駆動により画素４０Ａと画素４０Ｂとが時間的に重ならないように駆動されるため、画素４０Ａが駆動される期間では、図８（ｂ）に示すように、共通電極３７側における電界の広がりによって白表示の画素４０Ｂの一部に黒表示部分が形成され、黒表示の領域が大きくなる。一方、画素４０Ｂが駆動される期間では、図８（ｃ）に示すように、黒表示の画素４０Ａの一部に白表示部分が形成され、白表示の領域が大きくなる。
【００６８】
これに対して、第２の画像表示ステップＳＴ２２では、画素４０Ａ、４０Ｂが同時に駆動されるため、図８（ｄ）に示すように、画素電極３５ａと共通電極３７との間、及び画素電極３５ｂと共通電極３７との間に、互いに逆向きの電界が形成される。これにより、画素４０Ａ、４０Ｂの境界部分の電界は相殺され、隣接画素に電界が広がってしまうことがなくなる。その結果、図８（ｂ）、（ｃ）に示した画素４０Ａ、４０Ｂの境界部分における表示のにじみが除去され、鮮明な表示を得ることができる。
【００６９】
なお、第２の画像表示ステップＳＴ２２における電圧印加時間は、第１の画像表示ステップＳＴ２１において形成される表示のにじみを除去できる長さであれば、任意の長さに設定することができる。
表示のにじみの程度は、第１の画像表示ステップＳＴ２１において電気泳動素子３２に作用する電界の強度や、画素４０Ａ、４０Ｂの間隔、共通電極３７に入力されるパルスの周期によって変化する。その一方で、これらのパラメータは表示品質に大きく影響するものである。
したがって、第１の画像表示ステップＳＴ２１において良好な表示が得られるよう上記のパラメータを設定し、その結果として生じる表示のにじみを、第２の画像表示ステップＳＴ２２において除去できるように上記電圧印加時間を設定するとよい。
【００７０】
以上の第２の画像表示ステップＳＴ２２が終了したならば、電源オフステップＳＴ１３において、各回路の電源供給が停止される。これにより、画素４０Ａ、４０Ｂに接続されている配線がハイインピーダンス状態とされ、画素電極３５ａ、３５ｂ、及び共通電極３７もハイインピーダンス状態となる。その後、画像保持ステップＳＴ１４において、上記のハイインピーダンス状態を保持することで、電力を消費することなく表示部５に画像を表示し続けることができる。
【００７１】
電気泳動素子３２は記憶性を有しているため、上記のように画素４０を電源オフ状態としても画像を表示し続けることができるが、時間の経過とともに徐々に表示が失われてしまう。そこで、画像保持ステップＳＴ１４への移行後、一定時間が経過したときにリフレッシュステップＳＴ１５を実行することが好ましい。画像保持ステップＳＴ１４の長さは、電気泳動素子３２の表示保持特性（記憶性）や、表示画像の種類に応じて適宜設定することができる。
【００７２】
リフレッシュステップＳＴ１５では、先の第２の画像表示ステップＳＴ２２と同様の動作が実行される。すなわち、画素電極３５ａ、３５ｂにそれぞれハイレベル電位ＶＨ、ローレベル電位ＶＬを入力するとともに、共通電極３７に中間電位ＶＭ（例えば７．５Ｖ）を入力する。
なお、図示は省略したが、リフレッシュステップＳＴ１５の直前には電源オンステップＳＴ１０と同様の動作を実行するステップが設けられている。
【００７３】
これにより、図８（ｄ）に示したように、画素４０Ａ、４０Ｂをそれぞれ黒表示動作、白表示動作させることができ、時間の経過とともに、共通電極３７の近傍から離れてしまった黒色粒子２６（画素４０Ａ）及び白色粒子２７（画素４０Ｂ）を再び共通電極３７側に引き寄せることができる。
以上の動作により、表示のコントラストを上昇させ、表示品質を回復させることができる。
【００７４】
なお、本実施形態の場合、画像保持ステップＳＴ１４においてラッチ回路７０ａ、７０ｂも電源オフ状態とするため、リフレッシュステップＳＴ１５開始時の電源オン時には、ラッチ回路７０ａ、７０ｂの記憶内容は失われている。したがって、本実施形態に係るリフレッシュステップＳＴ１５では、電気泳動素子３２を駆動するリフレッシュ動作の前に、走査線駆動回路６１及びデータ線駆動回路６２を駆動し、表示画像に対応する画像信号をラッチ回路７０ａ、７０ｂに入力するステップが設けられている。
一方、画像保持ステップＳＴ１４において、ラッチ回路７０ａ、７０ｂを通電状態としておけば、ラッチ回路７０ａ、７０ｂの記憶内容を保持し続けることができる。この場合のリフレッシュステップＳＴ１５では、第１及び第２の制御線９１、９２及び共通電極３７に電位を入力するのみでリフレッシュ動作を行うことができる。
【００７５】
リフレッシュステップＳＴ１５が終了したならば、先の電源オフステップＳＴ１３と同様の電源オフ動作により、画像保持ステップに移行する。以降は、表示を維持する場合には、所定期間ごとに画像保持ステップとリフレッシュステップとを繰り返す。また、表示部５の表示画像を変更する場合には、電源オンステップＳＴ１０から電源オフステップＳＴ１３を実行することで、新たな画像を表示部５に表示させる。
【００７６】
以上、詳細に説明したように、本実施形態の電気泳動表示装置１００の駆動方法では、コモン振り駆動により画像を表示する第１の画像表示ステップＳＴ２１の後に、共通電極３７を中間電位ＶＭに保持する第２の画像表示ステップＳＴ２２が設けられている。これにより、第１の画像表示ステップＳＴ２１において不可避的に発生する表示のにじみを、第２の画像表示ステップＳＴ２２において除去することができ、白黒の境界領域が鮮明な表示を得ることができる。
【００７７】
また本実施形態では、リフレッシュステップＳＴ１５において、第２の画像表示ステップＳＴ２２と同様に共通電極３７に中間電位ＶＭを入力するので、鮮明なリフレッシュ表示を得ることができる。
リフレッシュステップＳＴ１５では、第１の画像表示ステップＳＴ２１と同様のコモン振り駆動を採用することもできるが、コモン振り駆動を行うと、図８（ｂ）、（ｃ）に示したような表示のにじみが生じるおそれがある。これに対して本発明では、リフレッシュステップＳＴ１５においても共通電極３７に中間電位ＶＭを入力し、黒表示の画素４０Ａと白表示の画素４０Ｂとを同時に駆動してリフレッシュ動作を行っている。これにより、表示のにじみを生じさせることなく表示画像のコントラストを回復させることができる。
【００７８】
なお、本実施形態では、第２の画像表示ステップＳＴ２２において共通電極３７に入力する中間電位ＶＭを、ハイレベル電位ＶＨ（例えば１５Ｖ）とローレベル電位ＶＬ（例えば０Ｖ）との中間の電位（例えば７．５Ｖ）としたが、中間電位ＶＭはこれに限定されるものではない。中間電位ＶＭは、ハイレベル電位ＶＨ（例えば１５Ｖ）とローレベル電位ＶＬ（例えば０Ｖ）の間の任意の電位とすることができる。
【００７９】
例えば、中間電位ＶＭとして、走査線６６を介して入力される選択信号のハイレベル（Ｈ）と同一の電位（例えば７Ｖ）を入力する駆動方法としてもよい。
このような駆動方法とすれば、ハイレベル電位ＶＨとローレベル電位ＶＬとの中間の電位に近い電位を共通電極３７に入力するため、第２の画像表示ステップＳＴ２２における作用はほとんど変わらない。しかも、選択信号のハイレベル（Ｈ）に対応する電位は、電気泳動表示装置１００の電源回路に予め用意されている電位であるため、第２の画像表示ステップＳＴ２２で使用するための電位を新たに生成する必要が無く、電源回路を効率的に利用でき、製造性やコストの面でも有利な構成となる。
【００８０】
さらに、中間電位ＶＭとして、画像信号入力ステップＳＴ１１で使用される画像信号入力用のハイレベル電位（例えば５Ｖ）を用いてもよい。この場合にも、電源回路の有効利用の点で有為な駆動方法となる。
ただし、第２の画像表示ステップＳＴ２２において、画素４０Ａに形成される電界の強度が、画素４０Ｂに形成される電界の強度よりも大きくなるため、第２の画像表示ステップＳＴ２２において黒表示のにじみ（はみ出し）を除去する作用が小さくなる。
そこで、中間電位ＶＭとしては、ハイレベル電位ＶＨとローレベル電位ＶＬとの中間の電位に対して±３０％以内の範囲の電位を設定することが好ましい。つまり、中間電位VMは、ハイレベル電位ＶＨとローレベル電位ＶＬとの電位差をΔＶとしたときに、ハイレベル電位ＶＨとローレベル電位ＶＬとの中間の電位を中心として±０．３ΔＶの範囲内に設定することが好ましい。このような範囲に設定することで、白黒の境界領域を鮮明に表示することができる。
【００８１】
ところで、第２の画像表示ステップＳＴ２２において共通電極３７に入力する中間電位ＶＭを、ハイレベル電位ＶＨとローレベル電位ＶＬとの中間の電位（例えば７．５Ｖ）からずらした電位とすると、第２の画像表示ステップＳＴ２２において画素４０Ａ、４０Ｂにそれぞれ形成される電界強度のバランスが変化する。そして、第２の画像表示ステップＳＴ２２の実行後の表示における白黒の境界領域のにじみの程度も、上記の電界強度のバランスに応じて変化する。このことは、本実施形態の駆動方法では、中間電位ＶＭによって表示品質を調整できることを意味する。
【００８２】
そこで例えば、第２の画像表示ステップＳＴ２２において、表示画像の種類に応じて中間電位ＶＭの値を調整し、白黒の境界領域におけるにじみの程度（表示画像の輪郭幅）を制御する駆動方法としてもよい。具体的には、表示画像が文字情報である場合には、文字の輪郭のギザギザを目立たなくするために、黒表示の領域が比較的広くなるように中間電位ＶＭを設定し、表示画像がイラストや写真である場合には、白黒の境界領域が鮮明になるように中間電位ＶＭを設定する駆動方法を採用してもよい。
このような駆動方法とすれば、表示画像に合わせた表示状態を得ることができ、高品位の表示が可能な電気泳動表示装置１００となる。
【００８３】
なお、上記の実施形態では、画素４０にラッチ回路７０とスイッチ回路８０とが設けられている電気泳動表示装置１００とその駆動方法について説明したが、本発明の技術範囲はかかる実施の形態に限定されるものではない。
例えば、画素４０にスイッチ回路８０が設けられておらず、ラッチ回路７０のデータ出力端子Ｎ２に画素電極３５が接続されている構成（５トランジスタ型）の電気泳動表示装置や、ラッチ回路７０及びスイッチ回路８０に代えて、キャパシタが設けられた構成（１トランジスタ１キャパシタ型）、あるいは、個々の画素電極３５を駆動回路により直接駆動する構成（セグメント方式）の電気泳動表示装置に本願発明を採用してもよい。
【００８４】
（電子機器）
次に、上記各実施形態の電気泳動表示装置１００を、電子機器に適用した場合について説明する。
図９は、腕時計１０００の正面図である。腕時計１０００は、時計ケース１００２と、時計ケース１００２に連結された一対のバンド１００３とを備えている。
時計ケース１００２の正面には、上記実施形態の電気泳動表示装置１００からなる表示部１００５と、秒針１０２１と、分針１０２２と、時針１０２３とが設けられている。時計ケース１００２の側面には、操作子としての竜頭１０１０と操作ボタン１０１１とが設けられている。竜頭１０１０は、ケース内部に設けられる巻真（図示は省略）に連結されており、巻真と一体となって多段階（例えば２段階）で押し引き自在、かつ、回転自在に設けられている。表示部１００５では、背景となる画像、日付や時間などの文字列、あるいは秒針、分針、時針などを表示することができる。
【００８５】
図１０は電子ペーパー１１００の構成を示す斜視図である。電子ペーパー１１００は、上記実施形態の電気泳動表示装置１００を表示領域１１０１に備えている。電子ペーパー１１００は可撓性を有し、従来の紙と同様の質感及び柔軟性を有する書き換え可能なシートからなる本体１１０２を備えて構成されている。
【００８６】
図１１は、電子ノート１２００の構成を示す斜視図である。電子ノート１２００は、上記の電子ペーパー１１００が複数枚束ねられ、カバー１２０１に挟まれているものである。カバー１２０１は、例えば外部の装置から送られる表示データを入力する図示は省略の表示データ入力手段を備える。これにより、その表示データに応じて、電子ペーパーが束ねられた状態のまま、表示内容の変更や更新を行うことができる。
【００８７】
以上の腕時計１０００、電子ペーパー１１００、及び電子ノート１２００によれば、本発明に係る電気泳動表示装置１００が採用されているので、表示品位に優れた表示部を備えた電子機器となる。
なお、上記の電子機器は、本発明に係る電子機器を例示するものであって、本発明の技術範囲を限定するものではない。例えば、携帯電話、携帯用オーディオ機器などの電子機器の表示部にも、本発明に係る電気泳動表示装置は好適に用いることができる。
【図面の簡単な説明】
【００８８】
【図１】実施形態に係る電気泳動表示装置の概略構成図。
【図２】画素回路を示す図。
【図３】電気泳動表示装置の部分断面図及びマイクロカプセルの断面図。
【図４】電気泳動表示装置の動作説明図。
【図５】実施形態に係る駆動方法を示すフローチャート。
【図６】図５に対応するタイミングチャート。
【図７】駆動方法の説明対象とした２画素の電位状態を示す図。
【図８】実施形態に係る駆動方法の作用説明図。
【図９】電子機器の一例である腕時計の正面図。
【図１０】電子機器の一例である電子ペーパーの斜視図。
【図１１】電子機器の一例である電子ノートの斜視図。
【図１２】コモン振り駆動の説明図。
【符号の説明】
【００８９】
１００  電気泳動表示装置、５  表示部、２０  マイクロカプセル、３２  電気泳動素子、３５，３５ａ，３５ｂ  画素電極、３７  共通電極、４０，４０Ａ，４０Ｂ  画素、６１  走査線駆動回路、６２  データ線駆動回路、６３  コントローラ（制御部）、６４  共通電源変調回路（共通電極駆動回路）、ＳＴ１０  電源オンステップ、ＳＴ１１  画像信号入力ステップ、ＳＴ１２  画像表示ステップ、ＳＴ１３  電源オフステップ、ＳＴ１４  画像保持ステップ、ＳＴ１５  リフレッシュステップ、ＳＴ２１  第１の画像表示ステップ、ＳＴ２２  第２の画像表示ステップ
【図１】
2010085620.tif 000003
【図２】
2010085620.tif 000004
【図３】
2010085620.tif 000005
【図４】
2010085620.tif 000006
【図５】
2010085620.tif 000007
【図６】
2010085620.tif 000008
【図７】
2010085620.tif 000009
【図８】
2010085620.tif 000010
【図９】
2010085620.tif 000011
【図１０】
2010085620.tif 000012
【図１１】
2010085620.tif 000013
【図１２】
2010085620.tif 000014